(57)【要約】      （修正有）【課題】発信機が記憶モジュールによりリアルタイムで音声情報を記憶可能であるとともに、受信機により音声情報をリアルタイムで出力することもできるリアルタイム録音機能付無線音声送信システムを提供する。【解決手段】システムは、発信機および受信機を含み、発信機が、順次に電気接続されるマイクロホンインターフェース１１、録音回路１２および記憶モジュール１３を備え、マイクロホンインターフェースはマイクロホンの録音音声を受信し、録音回路はマイクロホンインターフェースが受信した録音音声を処理し、記憶モジュールは録音回路が処理した録音音声を記憶する。受信機は、音声を出力する音声出力インターフェースを備える。発信機と受信機の間は無線通信接続とする。【選択図】図４
0003225949.tif 000002
【実用新案登録請求の範囲】
【請求項１】
リアルタイム録音機能付無線音声送信システムであって、マイクロホンを取付ける発信機
、および受信機を含み、
前記発信機が、順次に電気接続されるマイクロホンインターフェース、録音回路および記
憶モジュールを備えており、前記マイクロホンインターフェースはマイクロホンの録音音
声を受信するものであり、前記録音回路は前記マイクロホンインターフェースが受信した
録音音声を処理するものであり、前記記憶モジュールは前記録音回路が処理した録音音声
を記憶するものであり、
前記受信機は、音声を出力する音声出力インターフェースを備えており、
前記発信機と前記受信機の間は無線通信により接続され、前記発信機が前記記憶モジュー
ルによりリアルタイムで音声情報を記憶可能であるとともに、前記受信機により音声情報
をリアルタイムで出力することもできるように構成される、
ことを特徴とする前記リアルタイム録音機能付無線音声送信システム。
【請求項２】
前記記憶モジュールはメモリカードおよびＵＳＢモジュールであり、
前記発信機は前記録音回路に電気接続されるメモリカードスロットとＵＳＢインターフェ
ースを備えている、
ことを特徴とする請求項１に記載のリアルタイム録音機能付無線音声送信システム。
【請求項３】
前記発信機は、さらに、第１のＭＣＵ、第１のＬＣＤスクリーンおよびＲＦ変調回路を含
み、前記第１のＭＣＵがそれぞれ前記録音回路、前記第１のＬＣＤスクリーンおよび前記
ＲＦ変調回路に電気接続されており、
処理した録音音声を前記録音回路が前記第１のＭＣＵに送信して、受信した録音音声を前
記第１のＭＣＵが前記ＲＦ変調回路により変調処理してから、アンテナを介して発信する
ように構成されている、
ことを特徴とする請求項１に記載のリアルタイム録音機能付無線音声送信システム。
【請求項４】
前記受信機は、さらに、第２のＭＣＵ、第２のＬＣＤスクリーン、ＲＦ復調回路およびス
イッチチップを含み、前記第２のＭＣＵがそれぞれ前記スイッチチップと前記第２のＬＣ
Ｄスクリーンに電気接続されており、
前記スイッチチップの入力端が前記ＲＦ復調回路に電気接続され、前記スイッチチップの
出力端が前記音声出力インターフェースに電気接続されており、
前記発信機のアンテナから発信した無線音声信号を前記受信機のアンテナが受信した後、
受信した無線音声信号を前記ＲＦ復調回路が復調処理して復調音声を生成して、前記スイ
ッチチップに送信して、そして前記音声出力インターフェースを介して出力するように構
成されている、
ことを特徴とする請求項１に記載のリアルタイム録音機能付無線音声送信システム。
【請求項５】
前記発信機と前記受信機は、赤外線方式による無線チャンネルのペアリング設定とするこ
とを特徴とする請求項１に記載のリアルタイム録音機能付無線音声送信システム。
【請求項６】
前記発信機は、さらに、前記第１のＭＣＵに電気接続される補助音声入力インターフェー
スを備え、前記補助音声入力インターフェースは携帯型電子製品の出力音声を受信するも
のである、
ことを特徴とする請求項１に記載のリアルタイム録音機能付無線音声送信システム。
【請求項７】
前記受信機は、さらに、イヤホンインターフェースを備える、
ことを特徴とする請求項１に記載のリアルタイム録音機能付無線音声送信システム。
【考案の詳細な説明】
【技術分野】
【０００１】
本実用新案は、無線音声送信の技術分野に関するもので、特にリアルタイム録音機能付
無線音声送信システムに関する。
【従来の技術】
【０００２】
一般的に、撮影装置により動画を撮影する場合は、撮影される動画に対してリアルタイ
ムで合成録音を行う必要がある。リアルタイム的な合成録音の音質効果を確保するために
は、撮影装置に近いマイクロホン位置で撮影しながらセリフを言う必要があり、これによ
り動画の合成録音においてよく聞こえなく、または途切れ途切れになってしまうことを回
避する。ところが、マイクロホンから離れるとリアルタイム的な合成録音の音質効果を保
証できなくなるという現状では、撮影に対するハイレベルな要求を満たせない。
【０００３】
なお、リアルタイム的な音声送信が必要となる他の場合でも、有線送信方式は、講演者
が絶えずに位置を変えると、ユーザ要求を満たすことが難しい。
【考案の概要】
【０００４】
本実用新案の主な目的は、リアルタイム録音機能付無線音声送信システムを提供するこ
とである。
【０００５】
本実用新案にかかるリアルタイム録音機能付無線音声送信システムは、マイクロホンを
取付ける発信機、および受信機を含み、前記発信機が、順次に電気接続されるマイクロホ
ンインターフェース、録音回路および記憶モジュールを備えており、前記マイクロホンイ
ンターフェースはマイクロホンの録音音声を受信するものであり、前記録音回路は前記マ
イクロホンインターフェースが受信した録音音声を処理するものであり、前記記憶モジュ
ールは前記録音回路が処理した録音音声を記憶するものであり、前記受信機は、音声を出
力する音声出力インターフェースを備えており、前記発信機と前記受信機の間は無線通信
により接続され、前記発信機が前記記憶モジュールによりリアルタイムで音声情報を記憶
可能であるとともに、前記受信機により音声情報をリアルタイムで出力することもできる
ように構成される。
【０００６】
好ましくは、前記記憶モジュールはメモリカードおよびＵＳＢ（Ｕｎｉｖｅｒｓａｌ  Ｓ
ｅｒｉａｌ  Ｂｕｓ：ユニバーサルシリアルバス）モジュールであり、前記発信機は前記
録音回路に電気接続されるメモリカードスロットとＵＳＢインターフェースを備えている
。
【０００７】
好ましくは、前記発信機は、さらに、第１のＭＣＵ（Ｍｉｃｒｏ  Ｃｏｎｔｒｏｌ  Ｕｎ
ｉｔ：マイクロホンロ制御モジュール）、第１のＬＣＤ（Ｌｉｑｕｉｄ  Ｃｒｙｓｔａｌ
Ｄｉｓｐｌａｙ：液晶表示器）スクリーンおよびＲＦ変調回路を含み、前記第１のＭＣ
Ｕがそれぞれ前記録音回路、前記第１のＬＣＤスクリーンおよび前記ＲＦ変調回路に電気
接続されており、処理した録音音声を前記録音回路が前記第１のＭＣＵに送信して、受信
した録音音声を前記第１のＭＣＵが前記ＲＦ変調回路により変調処理してから、アンテナ
を介して発信するように構成されている。
【０００８】
好ましくは、前記受信機は、さらに、第２のＭＣＵ、第２のＬＣＤスクリーン、ＲＦ復調
回路およびスイッチチップを含み、前記第２のＭＣＵがそれぞれ前記スイッチチップと前
記第２のＬＣＤスクリーンに電気接続されており、前記スイッチチップの入力端が前記Ｒ
Ｆ復調回路に電気接続され、前記スイッチチップの出力端が前記音声出力インターフェー
スに電気接続されており、前記発信機のアンテナから発信した無線音声信号を前記受信機
のアンテナが受信した後、受信した無線音声信号を前記ＲＦ復調回路が復調処理して復調
音声を生成して、前記スイッチチップに送信して、そして前記音声出力インターフェース
を介して出力するように構成されている。
【０００９】
好ましくは、前記発信機と前記受信機は、赤外線方式による無線チャンネルのペアリング
設定とする。
【００１０】
好ましくは、前記発信機は、さらに、前記第１のＭＣＵに電気接続される補助音声入力イ
ンターフェースを備え、前記補助音声入力インターフェースは携帯型電子製品の出力音声
を受信するものである。
【００１１】
好ましくは、前記受信機は、さらに、イヤホンインターフェースを備える。
【００１２】
本考案の利点は以下のとおりである。
【００１３】
前記リアルタイム録音機能付無線音声送信システムでは、前記発信機と前記受信機の間は
無線通信接続とされるので、前記発信機が前記記憶モジュールによりリアルタイムで音声
情報を記憶可能であるとともに、前記受信機により音声情報をリアルタイムで発送するこ
ともできる。該無線通信接続によりいつでも発信機と受信機の間における遠距離の音声送
信が可能となる。
【００１４】
そして、前記発信機により録音音声の記憶と無線発信を同期に執行することができ、これ
により録音音声はバックアップが可能となり、無線送信では音声ロスなどが生じても、バ
ックアップした録音音声によって動画の後期矯正もできる。
【図面の簡単な説明】
【００１５】
【図１】図１は本実用新案実施例に提供されるリアルタイム録音機能付無線音声送信システムにおける発信機の構成模式図である。
【図２】図２は図１に示される発信機を他の角度から見る構成図である。
【図３】図３は本実用新案実施例に提供されるリアルタイム録音機能付無線音声送信システムにおける受信機の構成図である。
【図４】図４は図１に示される発信機の回路構成図である。
【図５】図５は図３に示される受信機の回路構成模式図である。
【考案を実施するための形態】
【００１６】
以下、本実用新案の実施例および附図を利用して、本実用新案実施例中における技術案
をさらに明確的に、十分的に説明する。明らかには、記載した実施例は、単に本実用新案
の一部実施例であり、すべての実施例とは理解してはならない。本実用新案の実施例に基
づいて、本分野の当業者によって創造的な労働を費やさず得られる全ての実施例は、本実
用新案に保護を求める範囲に含まれる。
【００１７】
図１〜５に示すように、リアルタイム録音機能付無線音声送信システムはマイクロホンを
取付ける発信機１０、および受信機２０を含む。ここで、前記発信機１０と前記受信機２
０は無線通信により接続される。理解すべきのは、前記発信機１０と前記受信機２０間の
無線通信接続は、ＲＦ（Ｒａｄｉｏ  Ｆｒｅｑｕｅｎｃｙ：無線周波数）、ＷＩＦＩ、ｚ
ｉｇｂｅｅ、ブルートゥース（登録商標）等の無線通信方式を含むがそれらに限定されな
い。
【００１８】
具体的に、前記発信機１０はマイクロホンインターフェース１１、録音回路１２、記憶モ
ジュール１３、第１のＭＣＵ１４、第１のＬＣＤスクリーン１５、ＲＦ変調回路１６、補
助音声入力インターフェース１７および赤外受信回路１８を備える。
【００１９】
本実施例では、前記マイクロホンインターフェース１１はマイクロホンの録音音声を受信
する。前記録音回路１２は前記マイクロホンインターフェース１１から受信した録音音声
を処理する。前記記憶モジュール１３は記憶前記録音回路１２により処理した録音音声を
記憶する。ここで、前記記憶モジュール１３はメモリカードおよびＵＳＢモジュールであ
り、且つ前記発信機１０は前記録音回路１２に電気接続されるメモリカードスロット１０
１およびＵＳＢインターフェース１０２を備える。
【００２０】
前記第１のＭＣＵ１４はそれぞれ前記録音回路１２、前記第１のＬＣＤスクリーン１５お
よび前記ＲＦ変調回路１６に電気接続される。処理した録音音声を前記録音回路１２が前
記第１のＭＣＵ１４まで送信し、前記第１のＭＣＵ１４が受信した録音音声を前記ＲＦ変
調回路１６により変調処理してからアンテナを介して発信する。
【００２１】
前記補助音声入力インターフェース１７は前記第１のＭＣＵ１４に電気接続され、携帯型
の電子製品の出力音声を補助音声として受信する。前記第１のＭＣＵ１４は前記補助音声
と前記録音音声をサウンド混合処理して、そして前記ＲＦ変調回路１６により変調処理し
てからアンテナを介して発信する。本実施例では、前記補助音声入力インターフェース１
７接入携帯電話またはＭＰ３（ＭＰＥＧ−１  Ａｕｄｉｏ  Ｌａｙｅｒ−３：エムピース
リー）等の携帯型の電子製品から出力した出力音声が入力される。選択例としては、前記
補助音声はバックグラウンド・ミュージック等の適宜な補助音声としてもよい。
【００２２】
ここで、前記第１のＬＣＤスクリーン１５は、前記第１のＭＣＵ１４からの表示指令を受
信して、前記発信機１０の動作状態として例えば録音状態や音声発信状態等を表示ための
ものである。
【００２３】
具体的に、前記受信機２０は音声出力インターフェース２１、イヤホンインターフェース
２２、第２のＭＣＵ２３、第２のＬＣＤスクリーン２４、ＲＦ復調回路２５、スイッチチ
ップ２６および赤外発信回路２７を含む。
【００２４】
本実施例では、前記第２のＭＣＵ２３はそれぞれ前記スイッチチップ２６と前記第２のＬ
ＣＤスクリーン２４に電気接続される。前記スイッチチップ２６の入力端が前記ＲＦ復調
回路２５に電気接続され、前記スイッチチップ２６の出力端が前記音声出力インターフェ
ース２１と前記イヤホンインターフェース２２にそれぞれ電気接続される。
【００２５】
前記発信機１０から発信した無線音声信号を前記受信機２０のアンテナが受信した後、受
信した無線音声信号を前記ＲＦ復調回路２５が復調処理して復調音声を生成し、前記スイ
ッチチップ２６まで送信して、前記音声出力インターフェース２１と前記イヤホンインタ
ーフェース２２を介してそれぞれ発信する。
【００２６】
ここで、前記第２のＬＣＤスクリーン２４が前記第２のＭＣＵ２３の表示指令を受信し、
前記受信機２０の動作状態として例えば受信状態、および音声送信状態等を表示する。
【００２７】
本実施例では、前記受信機は二つの受信アンテナを備えるので、両無線チャンネルの音声
信号を同期に受信することができる。それに応じて、前記受信機２０も二つのＲＦ復調回
路２５を備えている。しかし、本実施例に限定せず、前記受信機２０は一つまたは複数個
の受信アンテナを備えてもよく、この場合、前記受信機２０も一つまたは複数個のＲＦ復
調回路２５を備える。それによって、一つまたは複数個の無線ＲＦチャンネルから発送し
た音声情報を受信することができる。本実用新案はこれについては限定しない。
【００２８】
前記スイッチチップ２６によりステレオとモノラルの切り換えを実現する。ここで、スイ
ッチチップ２６は型番ＨＥＦ４０５３のＩＣチップとする。
【００２９】
なお、前記発信機１０と前記受信機２０との無線チャンネルのペアリング設定は赤外線方
式とされている。赤外線方式とは、赤外線方式で送信されるペアリング設定を意味する。
具体的に、前記発信機１０からのＲＦチャンネル信号を前記受信機２０の赤外発信回路２
７が前記受信機２０の赤外受信回路１８に発信し、受信したＲＦチャンネル信号を前記赤
外受信回路１８が前記第１のＭＣＵ１４まで転送することにより、前記第１のＭＣＵ１４
は前記発信機１０のＲＦ変調回路１６を前記受信機２０とペアリングするようにＲＦ信号
を変調するように制御して、これにより無線ＲＦの通信接続を完成する。
【００３０】
本実用新案におけるリアルタイム録音機能付の無線音声送信システムの動作原理は、以下
の通りである。
【００３１】
前記発信機１０と前記受信機２０は、赤外線方式による無線チャンネルのペアリング設定
とするので、両者間においてＲＦチャンネルにより音声の無線送信を可能とさせる。
【００３２】
前記発信機１０のマイクロホンが録音音声を受信すると、前記記憶モジュール１３により
リアルタイムで音声情報を記憶可能であるとともに、前記受信機２０により音声情報をリ
アルタイムで送信することもできる。
【００３３】
また、前記録音音声にバックグラウンド・ミュージックを加える場合、前記補助音声入力
インターフェース１７によりバックグラウンド・ミュージックの補助音声を入力して、前
記補助音声と前記録音音声を前記第１のＭＣＵ１４がサウンド混合処理して、サウンド混
合処理した録音音声を前記ＲＦ変調回路１６が変調処理してから、アンテナを介して発信
する。
【００３４】
前記受信機２０のアンテナが無線音声信号を受信した後、受信した無線音声信号を前記Ｒ
Ｆ復調回路２５が復調処理して復調音声を生成して、前記スイッチチップ２６に送信して
、前記音声出力インターフェース２１と前記イヤホンインターフェース２２を介してそれ
ぞれ送信する。
【００３５】
前記述べたものは、本考案の実施形態だけであり、前記の具体的な実施形態は、普通技術
者は本考案の原理と精神の範疇内において、各種の変形及び修正、置換、変形を行うこと
ができる。本実用新案の保護範囲は、実用新案登録請求の範囲及びその均等物である。
【図１】
0003225949.tif 000003
【図２】
0003225949.tif 000004
【図３】
0003225949.tif 000005
【図４】
0003225949.tif 000006
【図５】
0003225949.tif 000007
【手続補正書】
【提出日】令和2年2月6日(2020.2.6)
【手続補正１】
【補正対象書類名】実用新案登録請求の範囲
【補正対象項目名】全文
【補正方法】変更
【補正の内容】
【実用新案登録請求の範囲】
【請求項１】
リアルタイム録音機能付無線音声送信システムであって、マイクロホンを取付ける発信機
、および受信機を含み、
前記発信機が、順次に電気接続されるマイクロホンインターフェース、録音回路および記
憶モジュールを備えており、前記マイクロホンインターフェースはマイクロホンの録音音
声を受信するものであり、前記録音回路は前記マイクロホンインターフェースが受信した
録音音声を処理するものであり、前記記憶モジュールは前記録音回路が処理した録音音声
を記憶するものであり、
前記受信機は、音声を出力する音声出力インターフェースを備えており、
前記発信機と前記受信機の間は無線通信により接続され、前記発信機が前記記憶モジュー
ルによりリアルタイムで音声情報を記憶可能であるとともに、前記受信機により音声情報
をリアルタイムで出力することもできるように構成される、
ことを特徴とする前記リアルタイム録音機能付無線音声送信システム。
【請求項２】
前記記憶モジュールはメモリカードおよびＵＳＢモジュールであり、
前記発信機は前記録音回路に電気接続されるメモリカードスロットとＵＳＢインターフェ
ースを備えている、
ことを特徴とする請求項１に記載のリアルタイム録音機能付無線音声送信システム。
【請求項３】
前記発信機は、さらに、第１のＭＣＵ、第１のＬＣＤスクリーンおよびＲＦ変調回路を含
み、前記第１のＭＣＵがそれぞれ前記録音回路、前記第１のＬＣＤスクリーンおよび前記
ＲＦ変調回路に電気接続されており、
処理した録音音声を前記録音回路が前記第１のＭＣＵに送信して、受信した録音音声を前
記第１のＭＣＵが前記ＲＦ変調回路により変調処理してから、アンテナを介して発信する
ように構成されている、
ことを特徴とする請求項１に記載のリアルタイム録音機能付無線音声送信システム。
【請求項４】
前記受信機は、さらに、第２のＭＣＵ、第２のＬＣＤスクリーン、ＲＦ復調回路およびス
イッチチップを含み、前記第２のＭＣＵがそれぞれ前記スイッチチップと前記第２のＬＣ
Ｄスクリーンに電気接続されており、
前記スイッチチップの入力端が前記ＲＦ復調回路に電気接続され、前記スイッチチップの
出力端が前記音声出力インターフェースに電気接続されており、
前記発信機のアンテナから発信した無線音声信号を前記受信機のアンテナが受信した後、
受信した無線音声信号を前記ＲＦ復調回路が復調処理して復調音声を生成して、前記スイ
ッチチップに送信して、そして前記音声出力インターフェースを介して出力するように構
成されている、
ことを特徴とする請求項１に記載のリアルタイム録音機能付無線音声送信システム。
【請求項５】
前記発信機と前記受信機は、赤外線方式による無線チャンネルのペアリング設定とするこ
とを特徴とする請求項１に記載のリアルタイム録音機能付無線音声送信システム。
【請求項６】
前記発信機は、さらに、前記第１のＭＣＵに電気接続される補助音声入力インターフェー
スを備え、前記補助音声入力インターフェースは携帯型電子製品の出力音声を受信するも
のである、
ことを特徴とする請求項３に記載のリアルタイム録音機能付無線音声送信システム。
【請求項７】
前記受信機は、さらに、イヤホンインターフェースを備える、
ことを特徴とする請求項１に記載のリアルタイム録音機能付無線音声送信システム。